(57)【要約】【課題】映像系などの無線伝送システムにおいて、システム起動時などの無線伝送のスタート時に、パケット信号が映像信号出力に変換されるまでの時間を短縮し、ユーザの待ち時間を少なくできる送受信システム及び受信装置を提供すること。【解決手段】送信装置１０は映像信号をパケット信号に変換し無線で送信する。受信装置２０では、受信したパケット信号をエラー判定回路２２に伝える。通常エラー判定回路２２では、受信したパケット信号のエラー検出を行うが、システム起動時に限りエラーが検出された場合でも、再送要求回数の上限値を通常時の上限値（Ｎ）から起動時の上限値（ｎ）に変更、再送回数を（Ｎ＞ｎ）と制限し、エラーのあるパケット信号でも再送回数の上限に達していたら、保存回路２３に送る。保存回路２３に保存されたパケット信号がある一定量を超えるとエラー判定回路２２は、再送要求回数の上限値を起動時の上限値（ｎ）から通常時の上限値（Ｎ）に変更する。保存回路２３は、パケット信号を映像信号に変換する変換回路２４に送る。【選択図】    図１
2004357235.tif 000002
【特許請求の範囲】
【請求項１】
映像信号をパケット信号に変換し、無線で送信する送信装置と、
無線送信された前記パケット信号を受信する手段と、受信した前記パケット信号を保存する手段と、受信した前記パケット信号のエラーを検出する手段と、エラーのある場合に前記送信装置にそのパケット信号の再送を要求する手段と、その再送要求する際の再送要求回数を変更可能に設定する手段と、前記保存する手段からのパケット信号を映像信号に変換して出力する手段とを有する受信装置と、を具備し、
前記送信装置と前記受信装置間で無線伝送を開始する時に、前記受信装置の前記再送要求回数を自動的に変更することを特徴とする送受信システム。
【請求項２】
映像信号をパケット信号に変換する第１の変換手段と、
前記パケット信号を無線で送信する送信手段と、
前記パケット信号を無線で受信する受信手段と、
受信した前記パケット信号のエラーを検出するエラー判定手段と、
前記エラー判定手段でパケットエラーを検出した場合に前記送信手段にそのパケット信号の再送を要求する再送要求手段と、
前記再送要求手段の再送要求回数を変更可能に設定する設定手段と、
受信した前記パケット信号を保存し、その保存量が所定量を越えると保存されているパケット信号を出力する保存手段と、
前記保存手段から出力されるパケット信号を映像信号に変換する第２の変換手段と、を具備し、
無線伝送の開始時に、前記保存手段のパケット保存量が所定値以下であることに基づいて、前記設定手段の前記再送要求回数を通常時よりも少ない回数に変更することを特徴とする送受信システム。
【請求項３】
前記保存手段は、受信時にエラーが検出されたパケットにエラーマークを付加して保存することを特徴とする請求項１又は２記載の送受信システム。
【請求項４】
前記無線伝送の開始時は、システムの起動時又はリセット時であることを特徴とする請求項１又は２記載の送受信システム。
【請求項５】
無線伝送でパケット信号を受信する受信手段と、
受信した前記パケット信号のエラーを検出するエラー判定手段と、
前記エラー判定手段でパケットエラーを検出した場合に送信側にそのパケットの再送を要求する再送要求手段と、
前記再送要求手段の再送要求回数を変更可能に設定する設定手段と、
受信した前記パケット信号を一旦保存する保存手段と、
前記保存手段からのパケット信号を映像信号に変換する変換手段と、を具備し、
無線伝送の開始時に、前記設定手段の設定値を変えパケット信号の前記再送要求回数を変更することを特徴とする受信装置。
【請求項６】
無線伝送でパケット信号を受信する受信手段と、
受信した前記パケット信号のエラーを検出するエラー判定手段と、
前記エラー判定手段でパケットエラーを検出した場合に送信側にそのパケット信号の再送を要求する再送要求手段と、
前記再送要求手段の再送要求回数を変更可能に設定する設定手段と、
受信した前記パケット信号を保存し、その保存量が所定量を越えると保存されているパケット信号を出力する保存手段と、
前記保存手段から出力されるパケット信号を映像信号に変換する変換手段と、を具備し、
無線伝送の開始時に、前記保存手段のパケット保存量が所定値以下であることに基づいて、前記設定手段の前記再送要求回数を通常時よりも少ない回数に変更することを特徴とする受信装置。
【発明の詳細な説明】
【０００１】
【発明の属する技術分野】
本発明は、送受信システム及び受信装置に係り、特に無線通信によるリアルタイムなパケット伝送を行う送受信システム及び受信装置に関する。
【０００２】
【従来の技術】
従来、映像や音声のようなストリームデータを伝送するためのフォーマットとしてＭＰＥＧ２−ＴＳパケットがある。ＭＰＥＧ２−ＴＳパケットはストリームデータをリアルタイムに伝送するのに適している。
【０００３】
このＭＰＥＧ２−ＴＳパケットのデータを無線伝送する場合において、受信側は、受信したＭＰＥＧ２−ＴＳパケットにエラーがある場合に送信側に再送要求信号を出してそのＭＰＥＧ２−ＴＳパケットの再送を要求する。送信側は再送要求に従ってＭＰＥＧ２−ＴＳパケットを再送し、正常に受信できるまで再送を繰り返す。この場合、リアルタイム伝送のため、再送回数の最大回数が設定され、その最大値は固定である。
【０００４】
図７に無線伝送における従来の再送処理のタイミングの一例を示している。図中、受信ＯＫと受信ＮＧの場合があるが、これは受信ＯＫと受信ＮＧのときの動作を説明するために例として挙げているもので、実際の通信においては受信ＯＫか受信ＮＧかはその通信の状態に依存するものである。
【０００５】
図７（ａ），（ｂ）は、１つのＭＰＥＧ２−ＴＳパケットを送信したが受信エラーとなり再送要求された場合のタイミングである。この場合、再送最大回数を２としている。
【０００６】
図７（ａ）  は、パケット２回目の再送で受信ＯＫとなった場合である。まず、送信側は、パケット（Ｎ）を、時刻Ｔ（Ｎ）で送信処理して送信し、受信側でこれが受信される。受信されたデータがエラーと判定され、受信側はＡＣＫ（ＮＧ）という、受信ＮＧを表す信号を送信側に返信する。ＡＣＫ（ＮＧ）を受け取った送信側は、再びパケット（Ｎ）の再送を行う。この説明では、再送されるパケットを、パケット（Ｎ）と区別するためにパケット（Ｎ）＿ａと呼ぶことにする。パケット（Ｎ）＿ａを時刻Ｔ（Ｎ）＿ａで送り、受け取った受信側は、今度も受信ＮＧと判断し、ＡＣＫ（ＮＧ）という、受信ＮＧを表す信号を送信側に返信する。ＡＣＫ（ＮＧ）を受け取った送信側は、再びパケット（Ｎ）の再送を行う。再送パケット（Ｎ）＿ｂを時刻Ｔ（Ｎ）＿ｂで送り、受け取った受信側は、今度は受信ＯＫと判断し、ＡＣＫ（ＯＫ）という、受信ＯＫを表す信号を送信側に返信する。ＡＣＫ（ＯＫ）を受け取った送信側は、パケット（Ｎ）の送信を終了し、時刻Ｔ（Ｎ＋１）で次に送るべきパケット（Ｎ＋１）の送信処理に移る。
【０００７】
一方、図７（ｂ）は、２回目の再送も受信ＮＧとなった場合である。送信側は、パケット（Ｎ）を、時刻Ｔ（Ｎ）で送信し、受信側で受信される。受信されたデータがエラーと判定され、受信側はＡＣＫ（ＮＧ）を送信側に返信する。ＡＣＫ（ＮＧ）を受け取った送信側は、再びパケット（Ｎ）の再送を行う。再送パケット（Ｎ）＿ａを時刻Ｔ（Ｎ）＿ａで送る。受け取った受信側は、今度も受信ＮＧと判断し、ＡＣＫ（ＮＧ）を送信側に返信する。ＡＣＫ（ＮＧ）を受け取った送信側は、再びパケット（Ｎ）の再送を行う。再送パケット（Ｎ）＿ｂを時刻Ｔ（Ｎ）＿ｂで送る。ここまでは図７（ａ）  と、図７（ｂ）の動作は同じである。
【０００８】
図７（ｂ）の場合、受け取った受信側は、今度も受信ＮＧと判断し、ＡＣＫ（ＮＧ）を送信側に返信する。ＡＣＫ（ＮＧ）を受け取った送信側は、再びパケット（Ｎ）の再送を行うことになるが、ここで、従来技術においては、リアルタイム性を確保するために、受信ＮＧになり続けたとしてもある時点（Ｎ回）であきらめ、以降のパケット伝送処理に入る構成になっている。図７の従来例においては、最大再送回数を２回としている。最大再送回数を何回にするかはその通信システムで任意に設定できるが、通信中は固定値である。
【０００９】
一方、無線伝送における再送処理を行う従来の伝送方法及び伝送装置として、特開２０００−１５１６１９号公報に記載されているものがある。
【００１０】
この特開２０００−１５１６１９号公報には、有線伝送路で伝送するためにパケット構造とされたデータが、無線伝送用のフレーム構造などに変換されて無線伝送されて、その無線伝送されたデータを受信した側で、元のパケット構造に復元することが記載されている。また、受信側でデータにエラーがあったら送信側に再送要求して該データを再送してもらうことも記載されている。さらに、無線送信されたデータを受信した側で、正しく受信できたデータに対する応答データを無線伝送路の送信側に返送し、送信側で上記応答データが得られないデータを再送信する伝送方法も記載されている。さらにまた、無線伝送用のデータ構造とするデータ変換手段が変換したデータを一時記憶する記憶手段を備えて、無線送信手段が無線通信を行う相手からの要求により、該記憶手段に記憶されたデータを、前記無線送信手段が再送信する伝送装置も記載されている。
【００１１】
【特許文献１】
特開２０００−１５１６１９号公報（第８頁、図１１）
【００１２】
【発明が解決しようとする課題】
しかしながら、特許文献１では、再送処理において、受信側から再送要求があった場合、或いは送信側で上記応答データが得られない場合には、再送要求がなくなるまで、或いは応答データが得られるまで繰り返し該当するデータの再送を行うことになり、次々とリアルタイムにデータが伝送されてくるリアルタイム伝送に適した方法となっていない。
【００１３】
また、上記したＭＰＥＧ２−ＴＳパケットを無線伝送する従来技術においては、エラー検出回路でエラーと判定された場合、伝送エラーが無くなるか再送上限回数に到達するまで再送要求を行い、エラーの無いＭＰＥＧ２−ＴＳパケット信号のみをパケット信号保存装置に送っていた。すなわち、図７（ｂ）のように再送２回後も受信ＮＧが続いた場合、パケット信号保存装置にパケット信号が送られず、その都度、再送を所定の最大回数まで行うため、パケット信号保存装置のパケット保存量が出力規定値に到達するまでに時間がかかっていた。そのために、システム起動時などの無線伝送のスタート時に、パケット信号が映像信号出力に変換されるまでに時間を要していた。
【００１４】
そこで、本発明は上記の問題を解決するため為になされたものであり、無線伝送システムにおいて、システム起動時などの無線伝送のスタート時に、パケット信号が映像信号出力に変換されるまでの時間を短縮し、ユーザの待ち時間を少なくすることが可能な送受信システム及び受信装置を提供することを目的とする。
【００１５】
【課題を解決するための手段】
本発明による送受信システムは、映像信号をパケット信号に変換し、無線で送信する送信装置と、無線送信された前記パケット信号を受信する手段と、受信した前記パケット信号を保存する手段と、受信した前記パケット信号のエラーを検出する手段と、エラーのある場合に前記送信装置にそのパケット信号の再送を要求する手段と、その再送要求する際の再送要求回数を変更可能に設定する手段と、前記保存する手段からのパケット信号を映像信号に変換して出力する手段とを有する受信装置と、を具備し、前記送信装置と前記受信装置間で無線伝送を開始する時に、前記受信装置の前記再送要求回数を自動的に変更することを特徴とするものである。
【００１６】
また、本発明による送受信システムは、映像信号をパケット信号に変換する第１の変換手段と、前記パケット信号を無線で送信する送信手段と、前記パケット信号を無線で受信する受信手段と、受信した前記パケット信号のエラーを検出するエラー判定手段と、前記エラー判定手段でパケットエラーを検出した場合に前記送信手段にそのパケット信号の再送を要求する再送要求手段と、前記再送要求手段の再送要求回数を変更可能に設定する設定手段と、受信した前記パケット信号を保存し、その保存量が所定量を越えると保存されているパケット信号を出力する保存手段と、前記保存手段から出力されるパケット信号を映像信号に変換する第２の変換手段と、を具備し、無線伝送の開始時に、前記保存手段のパケット保存量が所定値以下であることに基づいて、前記設定手段の前記再送要求回数を通常時よりも少ない回数に変更することを特徴とするものである。
【００１７】
以上のような送受信システムの構成によれば、送信装置と受信装置間で無線伝送を開始する時に、受信装置内に設定される再送要求回数を通常時よりも例えば少なくなるように変更し、前記再送回数の上限に達したら、前記保存手段にパケット信号を保存することで、無線伝送スタート時に、受信装置内の保存手段にパケット信号が早く貯まっていき、保存手段に一定量を貯めるに時間がかからないため、パケット信号を映像信号に変換して出力するまでの立ち上げ時間が短縮され、映像等をテレビモニターなどに表示する際に、ユーザの待ち時間を少なくできるものである。
【００１８】
また、上記保存手段は、受信時にエラーが検出されたパケットにエラーマークを付加して保存することを特徴とする。
【００１９】
このようにすれば、本発明の無線伝送システムにおいて、エラーフラグなどのエラーマークを付加したパケット信号を映像信号に変換する時に、エラー訂正などの適切な処理を実施でき、画像や音声の乱れを少なくし、画質や音質を向上させることができる。
【００２０】
さらに、上記無線伝送の開始時は、システムの起動時又はリセット時であることを特徴とする。
【００２１】
このようにすれば、システムの起動時又はリセット時には、保存手段のデータ保存量が０になっているか、必要な分（出力規定値）を満たしていない状態にあり、このような時には再送要求回数の設定値を通常時とは異なる回数に変更させることで、保存手段にパケット信号を早く貯め、ユーザの待ち時間を少なくすることが必要である。
【００２２】
本発明による受信装置は、無線伝送でパケット信号を受信する受信手段と、受信した前記パケット信号のエラーを検出するエラー判定手段と、前記エラー判定手段でパケットエラーを検出した場合に送信側にそのパケットの再送を要求する再送要求手段と、前記再送要求手段の再送要求回数を変更可能に設定する設定手段と、受信した前記パケット信号を一旦保存する保存手段と、前記保存手段からのパケット信号を映像信号に変換する変換手段と、を具備し、無線伝送の開始時に、前記設定手段の設定値を変えパケット信号の前記再送要求回数を変更することを特徴とするものである。
【００２３】
また、本発明による受信装置は、無線伝送でパケット信号を受信する受信手段と、受信した前記パケット信号のエラーを検出するエラー判定手段と、前記エラー判定手段でパケットエラーを検出した場合に送信側にそのパケット信号の再送を要求する再送要求手段と、前記再送要求手段の再送要求回数を変更可能に設定する設定手段と、受信した前記パケット信号を保存し、その保存量が所定量を越えると保存されているパケット信号を出力する保存手段と、前記保存手段から出力されるパケット信号を映像信号に変換する変換手段と、を具備し、無線伝送の開始時に、前記保存手段のパケット保存量が所定値以下であることに基づいて、前記設定手段の前記再送要求回数を通常時よりも少ない回数に変更することを特徴とするものである。
【００２４】
以上のような受信装置の構成によれば、システムの起動時又はリセット時などの無線伝送の開始時に、パケットエラーが検出されても再送要求は行わない（再送要求回数０）か、通常動作時よりも少ない再送要求回数に限定することで、パケット信号を保存手段に貯える際にその出力規定値に早く到達させ、映像信号出力に変換するまでの時間を短縮することができ、映像等をテレビモニターなどに表示する際に、ユーザの待ち時間を少なくすることが可能となる。
【００２５】
【発明の実施の形態】
発明の実施の形態について図面を参照して説明する。
図１は本発明の一実施の形態の送受信システムの構成を示すブロック図である。
【００２６】
図１に示す送受信システムは、送信装置１０と受信装置２０間で無線伝送を行う送受信システムである。
【００２７】
送信装置１０は、図示しないＶＴＲやＤＶＤプレーヤー等の外部接続するビデオ供給機器より出力された映像信号及び音声信号が入力される入力端子１１と、入力された映像信号をＭＰＥＧ２−ＴＳパケット信号に変換する第１の変換手段であるＭＰＥＧ２−ＴＳパケット信号変換回路１２と、変換されたＭＰＥＧ２−ＴＳパケット信号を無線送信する送信手段であるＭＰＥＧ２−ＴＳパケット信号送信回路１３と、を有して構成されている。
【００２８】
受信装置２０は、ＭＰＥＧ２−ＴＳパケット信号受信回路２１と、パケット信号エラー判定回路２２と、再送要求手段（図示せず）と、ＭＰＥＧ２−ＴＳパケット信号保存回路２３と、出力映像信号変換回路２４と、再送要求回数設定回路２５と、出力端子２６と、を有して構成されている。
【００２９】
ＭＰＥＧ２−ＴＳパケット信号受信回路２１は、送信側から無線通信で送られてくるＭＰＥＧ２−ＴＳパケット信号を受信する受信手段を構成するものである。
【００３０】
再送要求回数設定回路２５は、再送要求回数の上限値を変更可能に設定するものであり、通常動作時は、後段の保存回路２３（後述）のパケット保存量が所定量を超えることに基づいて、再送要求回数の上限値を所定回数（例えば４〜５回）に設定し、システムの起動時又はリセット時などの無線伝送のスタート時には、後段の保存回路２３（後述）のパケット保存量が所定量以下であることに基づいて、再送要求回数の上限値を所定回数（例えば０〜２回）に設定可能な設定手段を構成するものである。
【００３１】
パケット信号エラー判定回路２２は、前記ＭＰＥＧ２−ＴＳパケット信号受信回路２１で受信したパケット信号のエラーを検出する機能を有し、パケットエラーの有無をＭＰＥＧ２−ＴＳパケット信号受信回路２１に知らせる一方、システムの起動時叉はリセット時などの無線伝送のスタート時に限り再送要求回数の上限値でパケットエラーがあっても次段の保存回路２３（後述）にそのまま出力可能であるエラー判定手段を構成するものである。
【００３２】
再送要求手段（図示せず）は、前記ＭＰＥＧ２−ＴＳパケット信号受信回路２１に設けられて、前記パケット信号エラー判定回路２２でエラーパケットが検出された場合に前記ＭＰＥＧ２−ＴＳパケット信号送信回路１３に無線伝送でそのパケットの再送を要求する機能を有している。
【００３３】
ＭＰＥＧ２−ＴＳパケット信号保存回路２３は、前記パケット信号エラー判定回路２２を経て供給される、前記受信したＭＰＥＧ２−ＴＳパケット信号を保存する機能を有し、無線伝送のスタート時にそのパケット保存量が所定量を超えない状態では前記再送要求回数設定回路２５に再送要求回数の上限値を下げる切り替え信号を供給する一方、そのパケット保存量が所定量を超えると前記再送要求回数設定回路２５に再送要求回数の上限値を通常動作時の回数に戻す切り替え信号を供給すると同時に保存してあるパケット信号を次段の出力映像信号変換回路２４に出力することが可能な保存手段を構成している。
【００３４】
出力映像信号変換回路２４は、このＭＰＥＧ２−ＴＳパケット信号保存回路２３から出力されるＭＰＥＧ２−ＴＳパケット信号を映像信号に変換する第２の変換手段を構成している。
【００３５】
出力端子２６は、この出力映像信号変換回路２４からの映像信号を図示しないＴＶ受像機等の外部接続するビデオ出力機器に出力するものである。
【００３６】
本送受信システムでは、システムの起動時又はリセット時などの無線伝送のスタート時に、ＭＰＥＧ２−ＴＳパケット信号保存回路２３のパケット保存量が所定量以下であることに基づいて、再送要求回数設定回路２５に設定される再送要求回数を通常動作時よりも少ない回数（再送要求無しも含む）に変更することに特徴がある。つまり、無線伝送のスタート時には、再送要求回数設定回路２５の設定値（上限値）を変更しパケット信号の再送要求回数を可変（減少）させることができる。
【００３７】
上記の構成においては、ＶＴＲやＤＶＤプレーヤー等のビデオ供給機能を有する装置より出力された映像・音声信号が入力端子１１に入力され、ＭＰＥＧ２−ＴＳパケット信号変換回路１２でＭＰＥＧ２−ＴＳパケット信号に変換される。ＭＰＥＧ２−ＴＳパケットパケット信号は、無線送信手段であるＭＰＥＧ２−ＴＳパケット送信回路１３によって無線受信手段であるＭＰＥＧ２−ＴＳパケット受信回路２１に送られる。ＭＰＥＧ２−ＴＳパケット受信回路２１は、受信したＭＰＥＧ２−ＴＳパケット信号をパケット信号エラー判定回路２２に伝える。パケット信号エラー判定回路２２では、受信したＭＰＥＧ２−ＴＳパケット信号のエラー検出を行うが、無線伝送のスタート時、すなわちシステム起動時やリセット時に限り、再送要求回数の上限値を通常動作時より減らし、再送上限時のＭＰＥＧ２−ＴＳパケット信号にエラーがあってもパケット信号保存手段であるＭＰＥＧ２−ＴＳパケット信号保存回路２３に送出する。
【００３８】
このとき、再送要求回数設定回路２５は、無線伝送のスタート時に、ＭＰＥＧ２−ＴＳパケット信号保存回路２３のパケット保存量が所定量以下であるか否かに基づいて、パケット保存量が所定量以下であるときは再送要求回数の上限値を通常動作時より少ない予め決められた所定値（０も含む）に設定し、パケット保存量が所定量を超えると通常動作時の上限値として予め決められている所定値に設定する。
【００３９】
ＭＰＥＧ２−ＴＳパケット信号保存回路２３に保存されたＭＰＥＧ２−ＴＳパケット信号がある所定量を超えると通常動作となり再送回数の上限値を通常動作時の状態に変更し、ＭＰＥＧ２−ＴＳパケット信号を映像信号に変換する出力映像信号変換回路２４に送出する。出力映像信号変換回路２４は、映像信号を出力端子２６に送り、出力端子２６に接続されたＴＶ受像機等のビデオ出力装置に出力する。
【００４０】
次に、図１の送受信システムの動作例を、図２及び図３を参照して説明する。図２及び図３はデータ通信のタイミング図を示している。
【００４１】
図２（ａ），（ｂ）はシステムの起動時又はリセット時の最大再送回数を０回（即ち再送要求無し）とした場合の動作を示している。
【００４２】
図２（ａ）はパケット送信１回目が受信ＯＫとなった場合である。まず、送信側は、パケット（Ｎ）を、時刻Ｔ（Ｎ）で送信処理して送信し、受信側でこれが受信される。受け取った受信側は、受信ＯＫと判断し、ＡＣＫ（ＯＫ）という、受信ＯＫを表す信号を送信側に返信する。ＡＣＫ（ＯＫ）を受け取った送信側は、パケット（Ｎ）の送信を終了し、時刻Ｔ（Ｎ＋１）で次に送るべきパケット（Ｎ＋１）の送信処理に移る。
【００４３】
図２（ｂ）はパケット送信１回目が受信ＮＧとなった場合である。送信側は、パケット（Ｎ）を、時刻Ｔ（Ｎ）で送信し、これが受信側で受信される。受け取った受信側は、エラー判定の結果、受信ＮＧと判断するが、最大再送回数が０回に設定されているので、エラーパケットのままＭＰＥＧ２−ＴＳパケット信号保存回路２３に送り、再送要求はせず、ＡＣＫ（ＯＫ）を送信側に返信する。ＡＣＫ（ＯＫ）を受け取った送信側は、パケット（Ｎ）の送信を終了し、時刻Ｔ（Ｎ＋１）で次に送るべきパケット（Ｎ＋１）の送信処理に移る。
【００４４】
図３（ａ），（ｂ）はシステムの起動時又はリセット時の最大再送回数を２回とした場合の動作を示している。
【００４５】
図３（ａ）はパケット２回目の再送で受信ＯＫとなった場合である。まず、送信側は、パケット（Ｎ）を、時刻Ｔ（Ｎ）で送信処理して送信し、受信側でこれが受信される。受信されたデータがエラーと判定され、受信側はＡＣＫ（ＮＧ）という、受信ＮＧを表す信号を送信側に返信する。ＡＣＫ（ＮＧ）を受け取った送信側は、再びパケット（Ｎ）の再送を行う。そこで再送パケット（Ｎ）＿ａを時刻Ｔ（Ｎ）＿ａで送り、受け取った受信側は、今度も受信ＮＧと判断し、ＡＣＫ（ＮＧ）という、受信ＮＧを表す信号を送信側に返信する。ＡＣＫ（ＮＧ）を受け取った送信側は、再びパケット（Ｎ）の再送を行う。ここで再送パケット（Ｎ）＿ｂを時刻Ｔ（Ｎ）＿ｂで送り、受け取った受信側は、今度は受信ＯＫと判断し、ＡＣＫ（ＯＫ）という、受信ＯＫを表す信号を送信側に返信する。ＡＣＫ（ＯＫ）を受け取った送信側は、パケット（Ｎ）の送信を終了し、時刻Ｔ（Ｎ＋１）で次に送るべきパケット（Ｎ＋１）の送信処理に移る。
【００４６】
図３（ｂ）はパケット２回目の再送も受信ＮＧとなった場合である。送信側は、パケット（Ｎ）を、時刻Ｔ（Ｎ）で送信し、受信側で受信される。受信されたデータがエラーと判定され、受信側はＡＣＫ（ＮＧ）を送信側に返信する。ＡＣＫ（ＮＧ）を受け取った送信側は、再びパケット（Ｎ）の再送を行う。そこで再送パケット（Ｎ）＿ａを時刻Ｔ（Ｎ）＿ａで送る。受け取った受信側は、今度も受信ＮＧと判断し、ＡＣＫ（ＮＧ）を送信側に返信する。ＡＣＫ（ＮＧ）を受け取った送信側は、再びパケット（Ｎ）の再送を行う。ここで再送パケット（Ｎ）＿ｂを時刻Ｔ（Ｎ）＿ｂで送る。ここまでは図３（ａ）  と、図３（ｂ）の動作は同じである。
【００４７】
図３（ｂ）の場合、再送パケット（Ｎ）＿ｂを受け取った受信側は、エラー判定の結果、今度も受信ＮＧと判断するが、ＡＣＫ（ＯＫ）を送信側に返信し、ＭＰＥＧ２−ＴＳパケット信号保存回路２３にパケット信号を送る。ＡＣＫ（ＯＫ）を受け取った送信側は、パケット（Ｎ）の送信を終了し、時刻Ｔ（Ｎ＋１）で次に送るべきパケット（Ｎ＋１）の送信処理に移る。
【００４８】
図４は本発明の実施の形態における処理手順を示すフローチャートである。
図４において、フローチャートのＳＴＡＲＴから処理を開始し、システムの起動時又はリセット時などの無線伝送がスタート時に入り（ステップＳ１）、まず処理１に移る。
【００４９】
処理１では、パケットエラー判定回路２２においてシステムの起動時又はリセット時の設定を行う（ステップＳ２）。送信側で映像信号が入力されたら（ステップＳ３）、処理２に移る。
【００５０】
処理２では、送信側で映像信号をＭＰＥＧ２−ＴＳパケット信号に変換後、パケット信号の送信を行う（ステップＳ４，５）。受信側ではそのパケット信号を受信し（ステップＳ６）、受信したＭＰＥＧ２−ＴＳパケットのエラー判定を行い（ステップＳ７）、エラーがあった場合は、処理３へ移る。エラーが無い場合は、処理４へ移る。
【００５１】
処理３では、再送要求回数（以後ＲＮ（Ｎ））のカウントアップを行う。すなわち、
ＲＮ（Ｎ）＝ＲＮ（Ｎ）＋１
再送要求回数が上限回数（以後ＲＮ（ＭＡＸ））を超えているかを判定する（ステップＳ８）。もし、超えていないなら送信側に再送要求を出し（ステップＳ９）、処理２へ移る。もし、超えているならば、処理４へ移る。
【００５２】
処理４では、パケット信号を保存回路２３に保存し（ステップＳ１０）、パケット信号保存量（以後ＰＢＵＦ（Ｎ））が一定量（以後ＰＢＵＦ（ＳＨ））を超えているかを判定する（ステップＳ１１）。もし、超えていなければ処理２へ移る。超えていれば、処理５へ移る。
【００５３】
処理５では、パケットエラー判定回路２２の再送要求回数の上限を通常時の設定に設定する（ステップＳ１２）。ＭＰＥＧ２−ＴＳパケット信号を映像信号に変換し、映像信号を出力する（ステップＳ１３，１４）。無線伝送の終了を判定し（ステップＳ１５）、無線伝送が終了でない場合、処理２へ移る。無線伝送が終了の場合、ＥＮＤに移る。
【００５４】
以上から、システムの起動時又はリセット時から映像信号出力までを上記処理１から処理５を実行することにより、本発明に係る無線伝送システムを実現できる。
【００５５】
次に、本発明の実施の形態による効果について、図５を参照して説明する。
【００５６】
図５（ａ）は図２の本発明実施の形態の動作例による、パケット保存量と時間の関係を示している。図５（ｂ）は図７の従来例による、パケット保存量と時間の関係を示している。横軸に時間、縦軸にパケット保存量をとってある。しきい値は、ＭＰＥＧ２−ＴＳパケット信号保存回路２３の出力規定値を意味している。パケット保存量が出力規定値に達すると、ＭＰＥＧ２−ＴＳパケット信号保存回路２３より出力映像信号変換回路２４へ保存パケットが送られ、保存回路２３のバッファ内からパケットが出力されて出来た空き領域に受信パケットがしきい値を若干超える分格納され、再びバッファ内の保存パケットが出力される結果、パケット保存量はしきい値を中心に上下に増加，減少を繰り返す状態となっている。
【００５７】
図５（ａ）は、図２の本発明の動作において、システムの起動時又はリセット時、最大再送回数が０回に切り替えられており、パケット送信１回目の転送結果が、受信側でパケットエラー有りで受信ＮＧとなっても、再送要求をせず、エラーパケットのまま保存回路２３に保存されるので、システムの起動後又はリセット後にＭＰＥＧ２−ＴＳパケット信号保存回路２３に保存されるパケット保存量が図示のように直線的に単調に増加していき、時間Ｔ１にて保存回路２３の出力規定値（しきい値）に達して、映像信号への変換が開始されることになる。従って、パケット保存量の増加にロスがなく、早い時間で映像信号への変換を開始できることになる。
【００５８】
これに対して、図５（ｂ）は、図７の従来例の動作において、最大再送回数が２回に常時固定されており、パケット転送の結果、受信ＮＧが少なくとも２回あり、受信側でパケットエラー有りで受信ＮＧとなると、送信側に再送要求をし、エラーパケットは保存回路２３に保存されないので、システムの起動後又はリセット後にＭＰＥＧ２−ＴＳパケット信号保存回路２３に保存されるパケット保存量が図示のようにエラー検出時に増加せず全体的に階段状に増加していき、時間Ｔ２（Ｔ２＞Ｔ１）にて保存回路２３の出力規定値（しきい値）に達して、映像信号への変換が開始されることになる。従って、パケット保存量の増加にロスが生じ、図５（ａ）の本発明の動作に比べて映像信号への変換開始が遅くなる。
【００５９】
図６は図１の送受信システムの外観構成及び使用例を示したものである。
【００６０】
図６において、本発明に係る送受信システム３０は、送信装置１０と受信装置２０とで構成され、送信装置１０と受信装置２０間を無線伝送で結ぶリアルタイムな映像等のパケット伝送を行うシステムである。送信装置１０はその入力端子１１（図１参照）がＤＶＤプレーヤー１００のビデオ出力端子（図示せず）に接続し、受信装置２０はその出力端子２６（図１参照）がＴＶ受像機２００のビデオ入力端子（図示せず）に接続している。
【００６１】
送信装置１０は、図１における入力端子１１，ＭＰＥＧ２−ＴＳパケット信号変換回路１２及びＭＰＥＧ２−ＴＳパケット信号送信回路１３で構成されている。また、受信装置２０は、図１におけるＭＰＥＧ２−ＴＳパケット信号受信回路２１，パケット信号エラー判定回路２２，ＭＰＥＧ２−ＴＳパケット信号保存回路２３，出力映像信号変換回路２４，再送要求回数設定回路２５及び出力端子２６で構成されている。
【００６２】
図６では、送信装置１０はＤＶＤプレーヤー１００に外付けされ、受信装置２０はＴＶ受像機２００に外付けされているが、送信装置１０，受信装置２０を各々の機器１００，２００にそれぞれ内蔵させる構成としてもよいことは勿論である。
【００６３】
なお、本発明の第２の実施の形態としては、図４のフローチャートの処理４において、ＭＰＥＧ２−ＴＳパケット信号保存回路２３は、パケット信号を保存する際にエラーのあるパケットに対して、エラーフラグを付けてバッファに格納する方法をとる。この方法を用いることでＭＰＥＧ２−ＴＳパケット信号を映像信号に変換する出力映像信号変換回路２４でエラー訂正などの適切な映像・音声処理を実施して、画質や音質を向上させることが可能となる。
【００６４】
また、以上述べた本発明の実施の形態においては、パケット信号をＭＰＥＧ２−ＴＳパケット信号として説明しているが、パケット方式の通信であればＭＰＥＧ２−ＴＳパケット信号に限定されるものではない。
【００６５】
【発明の効果】
以上述べたように本発明の送受信システム及び受信装置によれば、無線伝送システムにおいて、システム起動時などの無線伝送の開始時に、パケット信号が映像信号出力に変換されるまでの時間を短縮し、ユーザの待ち時間を少なくすることが可能となる。
【図面の簡単な説明】
【図１】本発明の一実施の形態の送受信システムの構成を示すブロック図。
【図２】図１の送受信システムの動作例を説明するタイミング図。
【図３】図１の送受信システムの動作例を説明するタイミング図。
【図４】本発明の実施の形態における処理手順を示すフローチャート。
【図５】本発明の実施の形態による効果を説明するグラフ。
【図６】図１の送受信システムの外観構成及び使用例を示す図。
【図７】従来例の無線伝送における再送処理のタイミングの一例を示す図。
【符号の説明】
１０…送信装置、１１…入力端子、１２…ＭＰＥＧ２−ＴＳパケット信号変換回路（変換手段）、１３…ＭＰＥＧ２−ＴＳパケット信号送信回路（送信手段）、２０…受信装置、２１…ＭＰＥＧ２−ＴＳパケット信号受信回路（受信手段）、２２…パケット信号エラー判定回路（エラー判定手段）、２３…ＭＰＥＧ２−ＴＳパケット信号保存回路（保存手段）、２４…出力映像信号変換回路（変換手段）、２５…再送要求回数設定回路（設定手段）、２６…出力端子、３０…送受信システム。
【図１】
2004357235.tif 000003
【図２】
2004357235.tif 000004
【図３】
2004357235.tif 000005
【図４】
2004357235.tif 000006
【図５】
2004357235.tif 000007
【図６】
2004357235.tif 000008
【図７】
2004357235.tif 000009